(57)【要約】【課題】  一対の軸の一方だけにトーションばね部材を設けると、片利きとなり、発光器保持部の自由端がずれ、収納部への発光器保持部の押し込みが困難となり、押し込み時のフィーリングが悪化する。【解決手段】  発光器保持部２１は、発光器２６をその間に備えて一体化された上ケース２１Ｕ、下ケース２１Ｌからなり、凹部形状の収納部２２が、カメラ本体の上カバーの中央部１４Ｕ１の上面に発光器保持部２１を収納可能に形成される。一対の軸が発光器保持部の下ケース２１Ｌの基端の左右に設けられ、軸を受ける一対の軸受が上カバーの中央部の突部上カバーの中央部の突部１４Ｕ１’に設けられる。トーションばね部材２５が一対の軸の一方の軸周りに架けられ、トーションばね部材を設けていない軸２３−２を受ける軸受２４−２がほぼ水平方向に伸びた長穴形状に形成される。【選択図】図４
2009222955.tif 000002
【特許請求の範囲】
【請求項１】
ポップアップダウンするストロボ装置において、
発光器をポップアップして発光可能な位置へと位置させる開位置と、発光器をダウンして発光不能な位置へと位置させる閉位置とに回動する発光器保持部と、
上記発光器保持部を上記閉位置に収納する収納部と、
上記発光器保持部を上記開閉の位置に回動させるための一対の軸と、
上記発光器保持部を上記閉位置から開位置へと移動させるため、上記一対の軸の一方の軸周りに架けられたトーションばね部材と、
上記一対の軸を受ける軸受と、
上記一対の軸の他方の軸を受ける長穴形状の軸受と、
を有することを特徴とするストロボ装置。
【請求項２】
ポップアップダウンするストロボ装置において、
発光器をポップアップして発光可能な位置へと位置させる開位置と、発光器をダウンして発光不能な位置へと位置させる閉位置とに回動する発光器保持部と、
上記発光器保持部を上記閉位置に収納する収納部と、
上記発光器保持部を上記開閉の位置に回動させるための軸と、
上記発光器保持部を上記閉位置から開位置へと移動させるため、上記軸の一端部周りに架けられたトーションばね部材と、
上記軸の上記一端部を受ける軸受と、
上記軸の他端部を受ける長穴形状の軸受と、
を有することを特徴とするストロボ装置。
【請求項３】
上記収納部は、上記発光器保持部を収納するための水平方向に広がりを有した凹部からなり、上記長穴形状は、ほぼ水平方向に伸びた形状であることを特徴とする請求項１または２記載のストロボ装置。
【請求項４】
ポップアップダウンするカメラのためのストロボ装置において、
発光器をポップアップして発光可能な位置へと位置させる開位置と、発光器をダウンして発光不能な位置へと位置させる閉位置とに回動する発光器保持部と、
上記発光器保持部を上記閉位置に収納する収納部と、
上記発光器保持部を上記開閉の位置に回動させるための一対の軸と、
上記発光器保持部を上記閉位置から開位置へと移動させるため、上記一対の軸の一方の軸周りに架けられたトーションばね部材と、
上記一対の軸を受ける軸受と、
上記一対の軸の他方の軸を受ける長穴形状の軸受と、
を有することを特徴とするカメラのためのストロボ装置。
【請求項５】
ポップアップダウンするカメラのためのストロボ装置において、
発光器をポップアップして発光可能な位置へと位置させる開位置と、発光器をダウンして発光不能な位置へと位置させる閉位置とに回動する発光器保持部と、
上記発光器保持部を上記閉位置に収納する収納部と、
上記発光器保持部を上記開閉の位置に回動させるための軸と、
上記発光器保持部を上記閉位置から開位置へと移動させるため、上記軸の一端部周りに架けられたトーションばね部材と、
上記軸の上記一端部を受ける軸受と、
上記軸の他端部を受ける長穴形状の軸受と、
を有することを特徴とするカメラのためのストロボ装置。
【請求項６】
上記収納部は、上記発光器保持部を収納するための水平方向に広がりを有した凹部からなり、上記長穴形状は、ほぼ水平方向に伸びた形状であることを特徴とする請求項４または５記載のカメラのためのストロボ装置。
【発明の詳細な説明】
【技術分野】
【０００１】
本発明は、カメラに内蔵され、収納部から飛び出して飛び出した位置で発光器を発光するストロボ装置に関する。
【背景技術】
【０００２】
銀塩またはデジタルの一眼レフレックスカメラ、デジタルビデオカメラ（報道用、映画用のものを含む）などのカメラには、ストロボ装置が内蔵されている。カメラのためのストロボ装置においては、発光器保持部がカメラ本体の上カバーの凹部形状の収納部にロックして収納されており、ロックを外すと、付勢ばねの付勢力のもとで収納部から飛び出し(ポップアップし)、その飛び出した位置で発光器保持部に設けられた発光器が発光するように構成されている（たとえば、特開２００１−３０４２０６号公報)。
【０００３】
すなわち、発光器保持部はその一端（基端）において回動可能に軸支され、その軸には付勢ばねであるトーションばね部材（ねじりばね部材）が架けられて（巻装されて）カメラ本体の収納部から突出する方向の付勢力を発光器保持部に付加している。しかし、ロックオフ釦先端の係止片に係止されることによって発光器保持部は付勢力に抗してロックされ、収納部に収納される。そして、ロックオフ釦を押すと、ロックが解除され(ロックオフされ)、トーションばね部材の付勢力によって発光器保持部（詳細には発光器保持部の自由端）が収納部から飛び出し（ポップアップし）、発光器保持部の自由端に設けられた発光器がその飛び出し位置において発光される。
飛び出した発光器保持部を付勢力に抗して押し込むと（ダウンさせると）、発光器保持部はロックオフ釦先端の係止片に係止され、ロック状態でカメラ本体の収納部に収納される。
【０００４】
このように、ストロボ装置の発光器保持部は、ロックオフ釦を押せばカメラ本体の上カバーの収納部からその発光位置（開位置）に飛び出し（ポップアップし）、この発光位置（開位置）で発光器保持部を押し込めば（ダウンさせれば）、ロックされて収納部に収納された発光不能位置（閉位置）に戻される。
【特許文献１】特開２００１−３０４２０６号公報
【発明の開示】
【発明が解決しようとする課題】
【０００５】
発光器保持部はその基端に一対の軸（回動軸）を持ち、この軸をカメラ本体の上カバーの収納部に設けた対応する支持穴(軸受)が受けて、収納部に回動可能に取付けられている。
トーションばね部材は、そのばね本体を発光器保持部の軸に架けて（巻装して）配置されるが、スペースの関係で発光器保持部の一対の軸の一方にしか設けられないことがある。一対の軸の一方だけに（片側だけに）トーションばね部材を設けると、付勢力が偏って作用し、いわゆる片利きの状態となるため、発光器保持部の自由端（先端）が被写体からの光束と直交する方向（横方向）にずれる。
また、一対の軸の位置のばらつきや、軸と軸受との隙間のばらつき（嵌合ガタ）があれば、付勢力の片利きによって、発光器保持部の自由端でのずれがさらに大きくなる。
【０００６】
付勢力の片利きのために発光器保持部の自由端がずれると、カメラ本体の収納部への発光器保持部の押し込みが困難となり、押し込み時のフィーリングが悪化する。また、発光器保持部の自由端がずれているにも拘らず、発光器保持部をカメラ本体の収納部に押し込めば、発光器保持部の軸と軸受との間に無理な力が加わり、軸や軸受けを破損、変形させるおそれがある。
本発明は、付勢力の片利きによる影響を抑えて押し込み時のフィーリングを改善したストロボ装置の提供を目的としている。
【課題を解決するための手段】
【０００７】
請求項１記載の本発明によれば、ポップアップダウンするストロボ装置において、発光器をポップアップして発光可能な位置へと位置させる開位置と発光器をダウンして発光不能な位置へと位置させる閉位置とに回動する発光器保持部と、上記発光器保持部を上記閉位置に収納する収納部と、上記発光器保持部を上記開閉の位置に回動させるための一対の軸と、上記発光器保持部を上記閉位置から開位置へと移動させるため、上記一対の軸の一方の軸周りに架けられたトーションばね部材と、上記一対の軸を受ける軸受と、上記一対の軸の他方の軸を受ける長穴形状の軸受とを有することを特徴としている。
請求項２記載の本発明によれば、ポップアップダウンするストロボ装置において、発光器をポップアップして発光可能な位置へと位置させる開位置と発光器をダウンして発光不能な位置へと位置させる閉位置とに回動する発光器保持部と、上記発光器保持部を上記閉位置に収納する収納部と、上記発光器保持部を上記開閉の位置に回動させるための軸と、上記発光器保持部を上記閉位置から開位置へと移動させるため、上記軸の一端部周りに架けられたトーションばね部材と、上記軸の上記一端部を受ける軸受と、上記軸の他端部を受ける長穴形状の軸受とを有することを特徴としている。
請求項３記載の本発明によれば、上記収納部は、上記発光器保持部を収納するための水平方向に広がりを有した凹部からなり、上記長穴形状は、ほぼ水平方向に伸びた形状であることを特徴としている。
【０００８】
請求項４記載の本発明によれば、ポップアップダウンするカメラのためのストロボ装置において、発光器をポップアップして発光可能な位置へと位置させる開位置と発光器をダウンして発光不能な位置へと位置させる閉位置とに回動する発光器保持部と、上記発光器保持部を上記閉位置に収納する収納部と、上記発光器保持部を上記開閉の位置に回動させるための一対の軸と、上記発光器保持部を上記閉位置から開位置へと移動させるため、上記一対の軸の一方の軸周りに架けられたトーションばね部材と、上記一対の軸を受ける軸受と、上記一対の軸の他方の軸を受ける長穴形状の軸受とを有することを特徴としている。
請求項５記載の本発明によれば、ポップアップダウンするカメラのためのストロボ装置において、発光器をポップアップして発光可能な位置へと位置させる開位置と発光器をダウンして発光不能な位置へと位置させる閉位置とに回動する発光器保持部と、上記発光器保持部を上記閉位置に収納する収納部と、上記発光器保持部を上記開閉の位置に回動させるための軸と、上記発光器保持部を上記閉位置から開位置へと移動させるため、上記軸の一端部周りに架けられたトーションばね部材と、上記軸の上記一端部を受ける軸受と、上記軸の他端部を受ける長穴形状の軸受とを有することを特徴としている。
請求項６記載の本発明によれば、上記収納部は、上記発光器保持部を収納するための水平方向に広がりを有した凹部からなり、上記長穴形状は、ほぼ水平方向に伸びた形状であることを特徴としている。
【発明の効果】
【０００９】
請求項１記載の本発明では、トーションばね部材を設けていない軸（他方の軸）を受ける軸受が長穴形状であるため、発光器保持部を収納部に押し込むと、他方の軸が長穴形状の軸受内を逃げて発光器保持部の自由端のズレを吸収する。そのため、発光器保持部を収納部に無理なく押し込むことができ、押し込み時のフィーリングの改善されたストロボ装置が得られる。
請求項２記載の本発明においても、軸の他端部を受ける軸受が長穴形逃げて発光器保持部の自由端のズレを吸収する。そのため、発光器保持部を収納部に無理なく押し込むことができ、押し込み時のフィーリングの改善されたストロボ装置が得られる。
請求項３記載の本発明では、収納部、長穴形状がいずれも水平方向に形成されているため、収納部への発光器保持部の押し込みに対応して、他方の軸が長穴形状の軸受内を水平に逃げて、発光器保持部の自由端のズレが円滑に吸収され、発光器保持部を収納部に無理なく押し込むことができる。
【００１０】
請求項４記載の本発明では、トーションばね部材を設けていない軸（他方の軸）を受ける軸受が長穴形状であるため、発光器保持部を収納部に押し込むと、他方の軸が長穴形状の軸受内を逃げて発光器保持部の自由端のズレを吸収する。そのため、発光器保持部を収納部に無理なく押し込むことができ、押し込み時のフィーリングの改善されたカメラのストロボ装置が得られる。
請求項５記載の本発明においても、軸の他端部を受ける軸受が長穴形状であるため、発光器保持部を収納部に押し込むと、他方の軸が長穴形状の軸受内を逃げて発光器保持部の自由端のズレを吸収する。そのため、発光器保持部を収納部に無理なく押し込むことができ、押し込み時のフィーリングの改善されたカメラのストロボ装置が得られる。
請求項６記載の本発明では、収納部、長穴形状がいずれも水平方向に形成されたものであるため、収納部への発光器保持部の押し込みに対応して、他方の軸が長穴形状の軸受内を逃げるため、発光器保持部の自由端のズレが円滑に吸収され、発光器保持部を収納部に無理なく押し込むことができる。
【発明を実施するための最良の形態】
【００１１】
本発明のストロボ装置では、水平に広がりを有する凹部形状の収納部が、カメラ本体の上カバーの中央部に発光器保持部を収納可能に形成される。そして、一対の軸が発光器保持部の基端でその左右に設けられ、軸を受ける一対の軸受が上カバーの中央部の左右の側壁に設けられる。トーションばね部材が一対の軸の一方の軸周りに架けられ、トーションばね部材を設けていない軸を受ける軸受がほぼ水平方向に伸びた長穴形状に形成される。
【実施例】
【００１２】
以下、図面を参照しながら本発明の実施例を詳細に説明する。図１、図２、図３は本発明の一実施例に係るストロボ装置の装着されたカメラ（デジタル一眼レフレックスカメラ）の斜視図、右側面図、平面図をそれぞれ示す。なお、図１ではストロボ装置の一部がカメラから分離されて図示されている。
【００１３】
図１〜３に示すように、概略、カメラ（デジタル一眼レフレックスカメラ）１０は上下の開口した略長方形の中空のカメラ本体１２の上面を上カバー１４Ｕで覆うとともに、下面を下カバー１４Ｌで塞いで構成されている。たとえば、カメラ本体１２、下カバー１４Ｌは合成樹脂から、上カバー１４Ｕはアルミダイキャスト部品からそれぞれ成形される。
【００１４】
上カバー１４Ｕはその中央部１４Ｕ１を左右の側部１４Ｕ２よりも高くした段付形状とされ、ストロボ装置２０は上カバーの中央部１４Ｕ１上面に回動可能に設けられている。
【００１５】
図４（Ａ）（Ｂ）はストロボ装置のケースを分解したカメラの斜視図、ストロボ装置のケースを除いた別の方向からのカメラの斜視図を示す。また、図５、図６それぞれは図３の線Ａ−Ａ、線Ｂ−Ｂに沿った一部破断のカメラの断面図を示す。
図４〜図６に示すように、ストロボ装置２０は、発光器保持部２１、収納部２２、回転軸となる一対の軸２３−１、２３−２、一対の軸受２４−１、２４−２、トーションばね部材２５を有している。
【００１６】
図４（Ａ）に示すように、発光器保持部２１は基部材となる下ケース２１Ｌと、下ケースに上から被せられるカバーとなる上ケース２１Ｕとを備えている。キセノン管（Ｘｅ管)などの発光体２６ａや発光体の発光を反射する反射傘２６ｂなどからなる発光器２６を下ケース２１Ｌ上に配置して、上下のケースがビス止めされている。図７（Ａ）（Ｂ）は、上下のケースを一体化してなる発光器保持部の平面図、底面図を示す。
図１〜図６に示すように、水平方向に広がりを有した略矩形の凹部がカメラ本体の上カバーの中央部１４Ｕ１上面に形成されており、この凹部が発光器保持部２１を収納する収納部２２となっている。
【００１７】
図１、図４に示すように、上カバーの中央部１４Ｕ１の後端部（撮影者側）に、外部ストロボ取付け台となる略矩形の突部１４Ｕ１’が形成されている。
この突部１４Ｕ１’が挿通される略矩形形状の切欠き２１Ｕ’、２１Ｌ’が、図７（Ａ）（Ｂ）に示すように、発光器保持部の上下のケース２１Ｕ、２１Ｌの一端（基端）に形成されている。
【００１８】
一対の軸２３−１、２３−２は、対向して下ケース２１Ｌから切欠き２１Ｌ’方向に伸びて設けられている。図４に示すように、一対の軸２３−１、２３−２を受ける一対の軸受２４−１、２４−２が、カメラ左右方向に並んで上カバーの中央部の突部１４Ｕ１’の両側壁に形成されている。なお、図４、図７に示すように、軸２３−１は、下ケース２１と一体に成形されて外方側方に伸びた外方の軸部２３−１ａと、軸２３−２に対向した切欠き内で軸部２３−１ａに整列してビス２３−１ｃで連結、固定された内方の軸部２３−１ｂとから形成されている。
【００１９】
トーションばね部材２５は、軸２３−１の外方の軸部２３−１ａの軸周りに架けられ、軸からの離脱を防止するストッパ２３−１ｄが軸部２３−１ａの端部に上記ビス２３−１ｃによって取付けられている。図４に示すように、トーションばね部材２５は、中央の巻装部２５ａの両端に係止片となる一対の自由端２５ｂ、２５ｃを持ち、自由端２５ｂ、２５ｃは同一方向に伸び、一方の自由端２５ｂは上側に位置した長片とされ、他方の自由端２５ｃは下側に位置した短片となっている。
【００２０】
図６に示すように、トーションばね部材の一方の自由端２５ｃと平行に伸びた長穴２１Ｌａが、下ケース２１Ｌの底部を貫通して形成されている。また、長穴２１Ｌａの下方でカメラ本体の上カバーの中央部１４Ｕ１の上面に、トーションばね部材の自由端２５ｃと平行に伸びた長溝１４Ｕ１ａが形成されている。
【００２１】
自由端２５ｃが下ケース底部の長穴２１Ｌａを挿通して上カバーの中央部１４Ｕ１の上面の長溝１４Ｕ１ａに押圧、係止されて、トーションばね部材２５は軸２３−１に架けられているため、軸線方向に位置ずれを生じることなく軸２３−１上の所定位置にトーションばね部材が配置される。
図６に示すように、軸２３−１から離間した位置に軸２３−１と平行な突起である係止部２１Ｌｂが下ケース２１Ｌに形成されている。そして、トーションばね部材の自由端２５ｂが係止部２１Ｌｂに下方から係止されている。
【００２２】
このように、トーションばね部材２５が下ケース２１Ｌに設けられた軸２３−１に架けられ、その一方の自由端２５ｃが上カバーの上面の長溝１４Ｕ１ａに押圧、係止され、他方の自由端２５ｂが下ケースの係止部２１Ｌｂに押圧、係止されている。ここで、上カバー１４Ｕは固定部材であるため、カメラ本体の上カバーの収納部２２（凹部)内に収納された可動の発光器保持部２１を収納部から跳ね上げる付勢力が、トーションばね部材２５によって発光器保持部に作用する。
【００２３】
図１、図２、図４に示すように、カメラ本体の上カバーの中央部１４Ｕ１の側壁に長穴１４Ｕ１ｃが形成され、この長穴を挿通してロックオフ釦１４Ｕ１ｂが設けられている。ロックオフ釦１４Ｕ１ｂはその内端に係止片（図示しない)を持ち、ロックオフ釦１４Ｕ１ｂを長穴１４Ｕ１ｃから部分的に突出させる方向の付勢力が、板ばね(図示しない)によってロックオフ釦に加えられている。
【００２４】
また、ロックオフ釦１４Ｕ１ｂの係止片が係止される被係止部２１Ｌｂが、図７（Ｂ）に示すように、発光器保持部の下ケース２１Ｌに形成されている。そして、上カバーのロックオフ釦１４Ｕ１ｂの係止片が下ケースの被係止部２１Ｌｂに係止されることによって、図２に実線で示すように、発光器保持部２１はトーションばね部材の付勢力に抗してロックオフ釦にロックされ、収納部２２に収納される。
【００２５】
発光器保持部２１が収納部２２に収納された状態で、板ばねの付勢力に抗してロックオフ釦１４Ｕ１ｂを押し込めば、ロックオフ釦の係止片と下ケースの被係止部２１Ｌｂとの係止が外れ、ロックオフされる。すると、トーションばね部材２５の付勢力によって、図２に一点鎖線で示すように、発光器保持部２１は収納部２２から跳ね上げられる(ポップアップされる)。位置決め用の一対のリンク（位置決めリンク；図示しない）が、カメラ本体の上カバーの中央部１４Ｕ１と発光器保持部２１の下ケース２１Ｌと間に架設されており、位置決めリンクによって発光器保持部の跳ね上げ位置（開位置)が設定される。このポップアップされた発光器保持部２１の開位置は、発光器保持部内の発光器２６の発光可能な位置であり、この位置で発光器が発光される。その後、トーションばね部材２５の付勢力に抗して発光器保持部２１を下方に押し込めば（ダウンさせれば）、発光器保持部は上カバー上の収納部２２内に収納され、図５に示すように、発光器２６を発光不能とする閉位置に戻される。
【００２６】
軸２３−１は軸受２４−１に、軸２３−２は軸受２４−２にそれぞれ受けられ、収納部２２から跳ね上げた（ポップアップさせた）開位置（図２で一点鎖線で示す）と、押し込んで（ダウンさせて）収納部に収納した閉位置（図２で実線で示す）との間で発光器保持部２１を回動させる。
ここで、トーションばね部材２５は、一対の軸２３−１、２３−２のうちの一方の軸２３−１に架けられ、他方の軸２３−２にトーションばね部材は設けられていない。そして、図１、図４、図６に示すように、トーションばね部材２５の設けられた軸２３−１を受ける軸受２４−１は、丸穴形状に形成されている。これに対して、図４、図５に示すように、トーションばね部材の設けられない軸２３−２を受ける軸受２４−２は、ほぼ水平方向に伸びた長穴形状に形成されている。
【００２７】
一方の軸２３−１だけに（片側だけに）トーションばね部材２５に設けているため、付勢力が偏って作用し、いわゆる片利きの状態となって発光器保持部の自由端（先端）２１ａが被写体からの光束と直交する方向（横方向）で図３の矢視Ｘ方向にずれる。しかし、トーションばね部材２５の架けられない軸２３−２を受ける軸受２４−２が、ほぼ水平方向に伸びた長穴形状に形成されているため、軸２３−２が長穴形状の軸受２４−２内を逃げて（動いて）、発光器保持部の自由端２１ａのずれを吸収する。
【００２８】
このように、トーションばね部材２５の架けられない軸２３−２が長穴形状の軸受２４−２内を逃げることによって、発光器保持部の自由端２１ａのずれが吸収され、付勢力の片利きによる影響が抑えられる。そのため、カメラ本体の収納部２２への発光器保持部２１の押し込みが円滑に行われ、押し込み時のフィーリングが改善される。
発光器保持部の自由端２１ａのずれが吸収されてカメラ本体の収納部２２への発光器保持部２１の押し込みが無理なく行われるため、発光器保持部の軸２３−１、２３−２と軸受２４−１、２４−２との間に無理な力が加わらず、軸や軸受を破損、変形させるおそれがない。
【００２９】
また、一対の軸２３−１、２３−２の位置のばらつきや、対応する軸と軸受との隙間のばらつき（嵌合ガタ）によって、発光器保持部の自由端２１ａが図３の矢視Ｘ方向または反Ｘ方向にずれる。しかし、発光器保持部の自由端２１ａのこのずれも、軸２３−２が長穴形状の軸受２４−２内を逃げることによって吸収され、軸位置のばらつきや軸と軸受との隙間のばらつきの影響が排除されるため、ストロボ装置２０の加工精度が低く抑えられる。
【００３０】
発光器保持部２１を収納する収納部２２が水平方向に広がりを有した凹部からなるとともに、軸受２４−２の長穴形状もほぼ水平方向に伸びた形状とされ、収納部、軸受の長穴形状がいずれも水平方向に形成されている。そのため、収納部２２への発光器保持部２１の押し込みに対応して、軸２３−２が長穴形状の軸受２４−２内を水平に迅速に逃げて、発光器保持部の自由端のズレが円滑に吸収され、違和感のないフィーリングのもとで発光器保持部を収納部に押し込むことができる。
【００３１】
一対の軸２３−１、２３−２を発光器保持部２１の１つの回動軸と捉えれば、軸受２４−１は回動軸の一端部を受ける軸受、軸受２４−２は回動軸の他端部を受ける軸受ということができる。
【００３２】
上記実施例は、この発明を説明するためのものであり、この発明を何等限定するものでなく、この発明の技術範囲内で上記以外の変形、改造等の施されたものも全てこの発明に包含されることはいうまでもない。
【産業上の利用可能性】
【００３３】
本発明によれば、格納部に押し込まれた発光不能な閉位置と、格納部から跳ね上げられたて発光可能な開位置との間を回動されるポップアップダウンタイプのストロボ装置に広範囲に応用できる。
【図面の簡単な説明】
【００３４】
【図１】本発明の一実施例に係るストロボ装置の装着されたカメラ（デジタル一眼レフレックスカメラ）の斜視図を示す。なお、ストロボ装置の一部がカメラから分離されて図示されている。
【図２】本発明の一実施例に係るストロボ装置の装着されるカメラの右側面図を示す。
【図３】本発明の一実施例に係るストロボ装置の装着されるカメラの平面図を示す。
【図４】（Ａ）はストロボ装置の上下のケースを分解したカメラの斜視図、（Ｂ）はストロボ装置のケースを除いた図１とは別の方向からのカメラの斜視図を示す。
【図５】図３の線Ａ−Ａに沿った一部破断のカメラの断面図を示す。
【図６】図３の線Ｂ−Ｂに沿った一部破断のカメラの断面図を示す。
【図７】（Ａ）（Ｂ）は、上下のケースを一体化してなる発光器保持部の平面図、底面図を示す。
【符号の説明】
【００３５】
１０    カメラ（デジタル一眼レフレックスカメラ）
１２    カメラ本体
１４Ｕ、１４Ｌ  上カバー、下カバー
１４Ｕ１  上カバーの中央部
１４Ｕ１’  上カバーの中央部突部
１４Ｕ２  上カバーの左右の側部
２０    ストロボ装置
２１    発光器保持部
２１Ｕ、２１Ｌ  上ケース、下ケース
２１Ｌｂ  トーションばね部材の係止部
２２    収納部
２３−１、２３−２    一対の軸（回動軸の一端部、他端部）
２４−１、２４−２    一対の軸受
２５    トーションばね部材
２５ａ  中央の巻装部
２５ｂ、２５ｃ  自由端
２６    発光器
【図１】
2009222955.tif 000003
【図２】
2009222955.tif 000004
【図３】
2009222955.tif 000005
【図４】
2009222955.tif 000006
【図５】
2009222955.tif 000007
【図６】
2009222955.tif 000008
【図７】
2009222955.tif 000009